(57)【要約】【課題】日常生活において有用な警告システムを提案する【課題を解決するための手段】  警告システムは、居室室温センサと、脱衣場室温センサと、居室と脱衣場の温度差が所定以上のとき警告を行う。警告部は、居室と脱衣場の温度差に係らず、脱衣場室温が所定以下だと警告を行う。居室と脱衣場の温度差が所定以上のとき暖房部を機能させる。暖房部は、浴槽の入浴準備により暖房部を機能させる。暖房部を人感センサに基づいて暖房部を機能させる。警告部は人感センサに基づいて警告を行う。警告部による警告に対応したか否かを判断する。判断部の判断結果を記録する。判断部の判断結果を外部に通信する。警告部による警告は、警告受容心理を醸成するための予備警告と警告内容情報を含む本警告とを含む。居室の室温と脱衣場の室温差が所定以上でないときにもテストを行う。【選択図】図１
2015022661.tif 000002
【特許請求の範囲】
【請求項１】
居室の室温を測定する居室室温センサと、脱衣場の室温を測定する脱衣場室温センサと、居室の室温と脱衣場の室温差が所定以上のとき警告を行う警告部とを有することを特徴とする警告システム。
【請求項２】
前記警告部は、居室の室温と脱衣場の室温差に係らず、脱衣場の室温が所定以下であるとき警告を行うことを特徴とする請求項１の警告システム。
【請求項３】
前記脱衣場に設けられる暖房部と、前記居室室温センサと前記脱衣場室温センサに基づき、居室の室温と脱衣場の室温差が所定以上のとき前記暖房部を機能させる制御部を有することを特徴とする請求項１または２記載の警告システム。
【請求項４】
前記暖房部は、浴槽の入浴準備により前記暖房部を機能させることを特徴とする請求項１から３のいずれかに記載の警告システム。
【請求項５】
人感センサを有し、前記暖房部は、前記人感センサに基づいて前記暖房部を機能させることを特徴とする請求項１から３のいずれかに記載の警告システム。
【請求項６】
人感センサを有し、前記警告部は前記人感センサに基づいて警告を行うことを特徴とする請求項１から３のいずれかに記載の警告システム。
【請求項７】
使用者が前記警告部による警告に対応したか否かを判断する判断部を有することを特徴とする請求項１から６のいずれかに記載の警告システム。
【請求項８】
前記判断部の判断結果を記録する記録部を有することを特徴とする請求項７記載の警告システム。
【請求項９】
前記判断部の判断結果を外部に通信する通信部を有することを特徴とする請求項７記載の警告システム。
【請求項１０】
前記警告部による警告は、警告受容心理を醸成するための予備警告と警告内容情報を含む本警告とを含むことを特徴とする請求項１から９のいずれかに記載の警告システム。
【請求項１１】
居室の室温と脱衣場の室温差が所定以上でないときにおいて前記居室室温センサ、前記脱衣場室温センサおよび前記警告部のテストを行うテスト手段を有することを特徴とする請求項１から１０のいずれかに記載の警告システム。
【発明の詳細な説明】
【技術分野】
【０００１】
本発明は、日常生活における警告システムに関する。
【背景技術】
【０００２】
日常生活の中には種々の危険が潜んでいる。一例として、冬季における居室と脱衣場との温度差のため、風呂に入ろうとした人が脱衣中にヒートショック起こす危険が指摘されており、種々の対策が講じられている。例えば、人が居室から脱衣場に移動した際におけるヒートショックの発生を抑制するため、居室内の空気を脱衣室に供給する空気供給機構設けることが提案されている。（特許文献１）一方、脱衣場の温度や、脱衣場と隣接する部屋との温度差に基づいて血圧上昇を抑制する香や音を発生させたり体感温度を上昇させる光を発生させたりすることが提案されている。（特許文献２）。
【先行技術文献】
【特許文献】
【０００３】
【特許文献１】特開２００９−２１６３６７号公報
【特許文献２】特開２０１２−０３２０６６号公報
【発明の概要】
【発明が解決しようとする課題】
【０００４】
しかしながら、より有用な日常生活の危険防止に関してはさらに検討すべき課題が多い。
【０００５】
本発明の課題は、上記に鑑み、日常生活において有用な警告システムを提案することにある。
【課題を解決するための手段】
【０００６】
上記課題を達成するため、本発明は、居室の室温を測定する居室室温センサと、脱衣場の室温を測定する脱衣場室温センサと、居室の室温と脱衣場の室温差が所定以上のとき警告を行う警告部とを有することを特徴とする警告システムを提供する。これによってヒートショックが生じる可能性を減らすことができる。
【０００７】
本発明の具体的な特徴によれば、前記警告部は、居室の室温と脱衣場の室温差に係らず、脱衣場の室温が所定以下であるとき警告を行う。これによってより周到な警告をおこなうことができる。
【０００８】
本発明の他の具体的な特徴によれば、前記脱衣場に設けられる暖房部と、前記居室室温センサと前記脱衣場室温センサに基づき、居室の室温と脱衣場の室温差が所定以上のとき前記暖房部を機能させる制御部が設けられる。これによってより積極的にヒートショックが生じる可能性を減らすことができる。
【０００９】
本発明の他の具体的な特徴によれば、前記暖房部は、浴槽の入浴準備により前記暖房部を機能させる。これによって適切に暖房を開始することができる。
【００１０】
本発明の他の具体的な特徴によれば、人感センサが設けられ、前記暖房部は、前記人感センサに基づいて前記暖房部を機能させる。これによって適切に暖房を開始することができる。
【００１１】
本発明の他の具体的な特徴によれば、人感センサが設けられ、前記警告部は前記人感センサに基づいて警告を行う。これによってより適切に警告を行うことができる。
【００１２】
本発明の他の具体的な特徴によれば、使用者が前記警告部による警告に対応したか否かを判断する判断部が設けられる。これによって例えば使用者が警告を無視する場合に対応することが可能となる。
【００１３】
本発明の他の具体的な特徴によれば、前記判断部の判断結果を記録する記録部が設けられる。これによって、使用者の行動パターンを把握することができる。
【００１４】
本発明の他の具体的な特徴によれば、前記判断部の判断結果を外部に通信する通信部が設けられる。これによって遠隔地家族や見守りサービス業者等を含めた警告システムを構築することが可能となる。
【００１５】
本発明の他の具体的な特徴によれば、前記警告部による警告は、警告受容心理を醸成するための予備警告と警告内容情報を含む本警告とを含む。これによって、警告がより生かされるようになる。
【００１６】
本発明の他の具体的な特徴によれば、居室の室温と脱衣場の室温差が所定以上でないときにおいて前記居室室温センサ、前記脱衣場室温センサおよび前記警告部のテストを行うテスト手段を有する。これによって、例えば夏季等の長期の不使用期間を経ても確実な動作を保証することができる。
【発明の効果】
【００１７】
上記のように、本発明によれば、日常生活において有用な警告システムが提供される。
【図面の簡単な説明】
【００１８】
【図１】本発明の実施例１の全体構成を示すシステム図である。（実施例１）
【図２】図１の実施例１におけるコントローラの動作を示す基本フローチャートである。
【図３】図２のステップ１４の詳細を示すフローチャートである。
【図４】図２のステップ１８の詳細を示すフローチャートである。
【発明を実施するための形態】
【実施例１】
【００１９】
図１は、本発明の実施の形態に係る実施例１の全体構成を示すブロック図である。実施例１は、家庭内における風呂場の脱衣場における警告システムを構成している。家屋２は居室４、浴室６および浴室６に隣接する脱衣場８を有する。居室４と脱衣場８は隣接している場合もあるが、廊下で結ばれている場合もある。いずれの場合も、冬季において居室４と脱衣場８との温度差のため、居室４から脱衣場８に移動した住人が両者の温度差のため脱衣中にヒートショック起こす危険がある。実施例１は、これに対し、第一に、居室４と脱衣場８との温度差を緩和するための対策を講じ、第二に、温度差の解消されない脱衣場８おいて住人が脱衣しないようにするための対策を講じるものである。
【００２０】
居室４のコントローラ１０は、システム全体をコントロールするとともに電話機能を備えており、マイク１２、スピーカ１４、操作部１６、表示部１８および通信部２０により遠隔地家族の携帯電話２２や見守りサービス業者の携帯電話２４等と通信可能である。コントローラ１０はまた操作部１６おより表示部１８による手動操作と設定に基づき暖房部２６を制御するとともに室温センサ２８等に基づき暖房部２６を自動制御することができる。コントローラ１０はさらに後述するヒートショック警告等のための音声データを記憶するメッセージ記憶部３０、および警告に対する住人の行動履歴等を記憶する履歴等記憶部３２を有する。これらの記憶部は機能の説明のため分離して図示しているが、実際は、これらの記憶部の機能は、コントローラ１０の制御ブログラムや必要なデータを記憶するためのＲＯＭやＲＡＭの機能として実現される。なお、履歴等記憶部３２は、室温センサ２８、４０、５４による室温測定結果の記録等も行う。
【００２１】
浴室６の浴槽のお湯張りや追い炊きなどは、居室４の操作部１６および表示部１８による手動操作と設定に基づき居室４のコントローラ１０により制御される。また浴室３６の暖房部３６は、居室４の操作部１６および表示部１８による手動操作と設定に基づき居室４のコントローラ１０により制御される。さらに、暖房部３６は、後述のように、脱衣場８に関連する諸状況および浴室６内の人感センサ３８、室温センサ４０さらには浴槽３４に付属する水位センサ４２および水温センサ４４に基づきコントローラ１０により自動制御される。
【００２２】
脱衣場８の暖房部３４は、居室４の操作部１６および表示部１８による手動操作と設定に基づき居室４のコントローラ１０により制御されるが、脱衣場８内の操作部４６および表示部５０による手動操作に基づき居室４のコントローラ１０で制御することもできる。さらに、暖房部４６は、後述のように、浴室６に関連する諸状況および脱衣場８内の人感センサ５２、室温センサ５４に基づきコントローラ１０により自動制御される。
【００２３】
以上の脱衣場８内の暖房部４６および浴室内６の暖房部３６の自動制御は、基本的には居室４内の室温センサ２８および脱衣場８内の室温センサ５４により脱衣場８内が所定以下の低温にならないように、また居室４と脱衣場８の温度差が所定以上開かないようにするとともに、脱衣場８および浴室６の無用な暖房を防止することを目的に行われる。その詳細は後述する。
【００２４】
脱衣場８にも、コントローラ１０に接続されるマイク５６、スピーカ５８が設けられており、操作部４８および表示部５０に基づく操作で脱衣場８からも通信部２０による遠隔地家族の携帯電話２２や見守りサービス業者の携帯電話２４等と通信が可能である。また、スピーカ５８からは、室温センサ２８および室温センサ５４により脱衣場８内が所定以下の低温であること、または居室４と脱衣場８の温度差が所定以上であることが検知されたとき、コントローラ１０の制御により、脱衣を控えるよう警告する音声メッセージが出力される。この音声はメッセージ記憶部３０に予め記憶されているもので、通話を通じて録音した遠隔地家族からの呼掛けメッセージとシステム側で予め用意されている警告内容を示すメッセージが含まれている。そして、先に呼掛けメッセージを出力し、次いで警告内容を示すメッセージを出力することで、独居老人等の家屋２の住人が警告を受容し警告を無視せずに脱衣を思いとどまるような心理的状況を醸成する演出を行う。
【００２５】
図２は、実施例１におけるコントローラ１０の動作を説明する基本フローチャートである。フローは、システムへの給電が開始されるとスタートし、ステップＳ２システムの立ち上げ処理およびシステムチェック処理を行ってステップＳ４に移行する。ステップＳ４では、室温センサ２８による居室４の温度の測定を行うとともにコントローラ１０の履歴等記憶部３２に測定結果を記録する。さらにステップＳ６では、室温センサ５４による脱衣場８の温度の測定と履歴等記憶部３２への測定結果の記録を行い、ステップＳ８に移行する。
【００２６】
ステップＳ８では、今回の測定結果に基づき居室４の室温が所定以下か否かチェックする。これは、居室４の室温が所定以下であれば暖房部２６による暖房が行われておらず居室２６を住人が使用していないと考えられるので、ヒートショック防止管理から外すためである。ステップＳ８で居室温度が所定以下でなければステップＳ１０に進み脱衣場８の室温が所定以下か否かチェックする。これは、脱衣場８内の室温と体温との差が大きく居室の室温に係らず危険な状態にあることを検知するためである。ステップＳ１０で脱衣場温度が所定以下でなければステップＳ１２に進み、居室４の室温と脱衣場８の室温の差が所定以上か否かチェックする。これは、脱衣場８内の室温が所定以上であっても居室と脱衣場の室温差が大きくヒートショックの危険がある状態を検知するためである。そして、室温差が所定以上あればステップＳ１４に移行する。なお、ステップＳ１０で脱衣場温度が所定以下であれば直接ステップＳ１４に移行する。
【００２７】
ステップＳ１４では、検出結果に基づき、脱衣場８の暖房部４６および浴室６の暖房部３６を自動成長する処理を行う。この処理は、主に暖房部４６および暖房部３６を自動的にオンする処理に該当するが、無用な暖房を行わないために暖房部４６および暖房部３６を自動的にオフする処理も含まれる。その詳細は後述する。ステップＳ１４における脱衣場・浴室暖房自動制御処理が完了するとステップＳ１６に移行する。
【００２８】
ステップＳ１６では、人感センサ５２により住人が脱衣場に立ち入っているか否かチェックする。そして立ち入りが検知されるとステップＳ１８の本人警告処理に移行する。これは、基本的には本人に脱衣を行わないようスピーカ５８からの音声メッセージおよび表示部５０の点滅等により警告する処理であるが、不要な警告を防止する処理および警告に対する住人の対応を記録する処理も含まれる。その詳細は後述する。ステップＳ１８の本人警告処理が完了するとステップＳ２０に移行する。
【００２９】
ステップＳ２０は、ステップＳ１８において警告に係らず脱衣をする等の住人の警告無視行動の履歴が記録されているか否かをチェックする。そして該当記録があればステップＳ２２に進み、今回の行動履歴を記録して蓄積するとともに、蓄積された記録を分析する処理を行ってステップＳ２４に移行する。ステップＳ２４では、ヒートショックの危険性および警告に従わない行動が重なっていることについて本人を説得するメッセージを出力する処理である。この処理におけるメッセージはスピーカ５８による現場メッセージ出力だけでなく、スピーカ１４による居室でのメッセージ出力が含まれる。
【００３０】
ステップＳ２４における本人説得処理が完了するとステップＳ２６に進み、家族への通知および家族との協力により危険行動を防止する処理に入る。この処理には、通信部２０によるシステムから遠隔地家族の携帯電話２２への危険行動の自動連絡、およびこれに応じた遠隔地家族の携帯電話２２と居室４内のマイク１２とスピーカ１４による通話による説得補助処理が含まれる。
【００３１】
ステップＳ２６における家族通知・協力処理が完了するとステップＳ２８に進み、見守りサービス業者携帯電話２４への通知により危険行動を防止する処理に入る。この処理には、通信部２０によるシステムからサービス業者の携帯電話２２への危険行動の自動連絡、およびこれに応じたサービス業者の携帯電話２４と居室４内のマイク１２とスピーカ１４による通話による説得補助処理、さらにはシステムからサービス業者への家屋２への出張自動依頼処理が含まれる。
【００３２】
ステップＳ２８におけるサービス業者通知処理が完了するとステップＳ３０に移行する。なお、ステップＳ１６で脱衣場の人感がない場合は直接ステップＳ３０に移行する。さらに、ステップＳ２０で住人が警告に従いこれを無視する行動が記録されていなかったときはも直接ステップＳ３０に移行する。一方、ステップＳ８で居室４の室温が所定以下であることが検知された場合はステップＳ３２に移行する。同様に、ステップＳ１２で居室４の室温と脱衣場８の室温の差が所定以上であることが検知されなかったときもステップＳ３２に移行する。
【００３３】
ステップＳ３２では、脱衣場８の暖房部４６および浴室６の暖房部３６を自動的にオフしてステップＳ３４に移行する。なお、これらの暖房部が元々オフであった場合は、ステップＳ３２では何もせずステップＳ３４に移行する。ステップＳ３４では、本人警告機能をオフしてステップＳ３０に移行する。なお、ステップＳ３４に至ったとき本人警告に関する機能が動作していなければステップＳ３４では何もせずステップＳ３０に移行する。
【００３４】
ステップＳ３０では、機能の設定およびテスト処理を行う。これは、操作部１６および表示部１８による動作条件の諸設定およびその変更を行う処理である。これには暖房オン時刻のタイマーの設定等も含まれる。また、ステップＳ３０にはシステムのテストを行う処理が含まれる。本発明の実施例は、冬季におけるヒートショックの対策なので、ステップＳ１４からステップＳ２８に対応する部分が夏季を含む長期間機能することがない。従って次の冬季になってシステムが正常に機能するかいなかを日常的にチェックすることは意義がある。本発明の実施例では、暖房の自動制御および警告機能が動作するか否かに係らずシステムがステップＳ３０に至るようにするとともにマイク１２およびスピーカ１４を通じた遠隔地家族の携帯電話２２との通常通話機能をテスト機能と連動させ、通常通話機能の際に各センサおよびステップＳ４からステップＳ３４が正常に機能するか否かチェックする。これによって、通常通話が可能な限りステップＳ１４からステップＳ２８が正常に機能することを保証している。
【００３５】
ステップＳ３０の機能設定・テスト処理が完了するとフローはステップＳ３６に至り、システムへの給電が停止されているか以下かチェックする。そして給電停止がない限り、ステップＳ４からステップＳ３６を繰り返す。一方、ステップＳ３６で給電停止が検知されると必要な停止処理をおこなってフローを終了する。
【００３６】
図３は、図２のステップＳ１４における脱衣場・浴室暖房自動制御処理の詳細を示すフローチャートである。フローがスタートするとステップＳ４２で浴槽３４へのお湯張りが開始されたか否かチェックする。お湯張り開始が検知されなければステップＳ４４に進み、タイマーによって設定された暖房のオン時刻が到来しているか否かチェックする。タイマー設定オン時刻の到来が検知されなければステップＳ４６に移行し、人感センサ５２による住人の脱衣場８への立ち入りをチェックする。
【００３７】
人感があるとステップＳ４８に進み、水位センサ４２によって浴槽３４が所定の水位まで満たされているか否かチェックする。これは、浴槽３４が所定の水位になければ住人が入浴のために脱衣場に立ち入ったのではないとみなせるのでその判断をするためである。浴槽水位が所定以上であればステップＳ５０に進み、水温センサ４４により浴槽３４の水温が所定以上か否かチェックする。これは、浴槽３４が所定以上の水温でなければ住人が入浴のために脱衣場に立ち入ったのではないとみなせるのでその判断をするためである。脱衣場８は洗面および洗濯機設置のスペースを兼ねており、これらを目的に脱衣場８に立ち入ったときは脱衣を伴わず、危険も少ないのでこれらの場合を峻別するのがステップＳ４８およびステップＳ５０の目的である。なお、ステップＳ４４でタイマー設定オン時刻の到来が検知されたときは人感に係らずステップＳ４６に移行する。タイマーは基本的には暖房をオンするためのものであるが、念のためステップＳ４８およびステップＳ５０のチェックを行うことで、浴槽３４が入浴可能な状態でないにもかかわらず無用に暖房をオンすることを防止する。
【００３８】
ステップＳ５０で浴槽３４の水温が所定以上であれば、入浴のために住人が脱衣場に立ち入った可能性が高いのでステップＳ５２に進み、脱衣場８の暖房部４６および浴室６の暖房部３６を自動的にオンしてステップＳ５４に進む。なお、タイマー設定オン時刻到来に基づいて、ステップＳ４８およびステップＳ５０経由でステップＳ５２に至る場合はともかく、ステップＳ４６の人感に基づいてステップＳ５２に至ったときは、室温は急には高まらないので後述のように脱衣を控えるよう警告を行うことになる。これに対し、ステップＳ４２でお湯張り開始を検知した場合は直ちにステップＳ５２に移行する。この場合はお湯張りに要する時間暖房が継続されるのでお湯張完了時点で脱衣場も温まっていることが期待される。
【００３９】
一方、ステップＳ４８で浴槽所定水位以下であることが検知された場合、またはステップＳ５０で浴槽水温が所定以下であることが検知された場合はステップＳ５６に進み、人感センサ３８により浴室への住人の立ち入りの有無をチェックする。これは、浴室が入浴可能状態にないにも係らず住人が誤って浴室６に入った場合であり、（警告を無視して）脱衣もしているので極めて危険な状態にある。このときはステップＳ５２に進み、脱衣場および浴室の暖房を急遽オンする。なお、ステップＳ４６において脱衣場人感がない場合、当面暖房を開始する必要がないので直接ステップＳ５４に進む。ステップＳ５６で人感がない場合（通常の場合）も同様にして直接ステップＳ５４に進む。
【００４０】
ステップＳ５４では、水位センサ４２および水温センサ４４によりお湯張り完了状態となったか否かがチェックされる。お湯張完了が検知されるとステップＳ５８に進み、その時点からの経過時間のカウントがスタートする。そしてステップＳ６０でお湯張り完了後所定時間以内に脱衣場で人感があったか否かチェックする。所定時間内に人感があればステップＳ６２に進み、浴室６で人感があったか否かチェックする。浴室人感があれば住人が（安全状態であったか警告を無視したかにかかわらず）脱衣および入浴を行ったことを意味するのでステップＳ６４に進み、入浴中フラグをセットしてステップＳ６６に進む。ステップＳ６２で人感がなければ直接ステップＳ６６に進む。
【００４１】
ステップＳ６６では、入浴中フラグがセットされているか否かチェックし、フラグのセットを確認した上でステップＳ６８における浴室での人感のチェックを実施する。そして人感がなくなれば、入浴していた住人が浴室を出たことを意味するのでステップＳ７０に進み、入浴フラグをリセットするとともに、その後の経過時間のカウントをスタートさせてステップＳ７２に移行する。これは、後述のように入浴後所定時間が経過した後の無用の暖房をオフするための基準とするためである。
【００４２】
ステップＳ７２では、浴室退出後所定時間が経過したか否かチェックする。そして所定時間が経過すればステップＳ７４に進み、経過時間カウントを停止するとともに、脱衣場および浴室の暖房をオフしてフローを終了する。これは、入浴後着衣に充分な時間を経過しておりこれ以上暖房を継続するのは無用と考えられるからである。また、ステップＳ６０でお湯張り完了後脱衣場で人感がないまま所定時間が経過したことが確認されたときもステップＳ７４に移行し、経過時間カウントを停止するとともに、脱衣場および浴室の暖房をオフしてフローを終了する。これは、お湯張り完了後、住人の入浴がないまま長時間暖房を継続することが不合理だからである。一方、ステップＳ６６でお湯張りが完了していないとき、ステップＳ６６で入浴中フラグのセットが検知できないとき、ステップＳ６８で浴室人感が継続しているとき、およびステップＳ７２で住人が浴室退出後所定時間が経過していないとき、はいずれも脱衣場および浴室暖房をオフする状況にはないと判断されるので直接フローを終了する。なお、図３のフローは上記のように暖房のオフを行う管理を含むが、大半の場合、暖房のオフは脱衣場が温まったときまたは居室との温度差が解消されたときであり、このためには図２のステップＳ３２が機能することになる。
【００４３】
図４は、図２のステップＳ１８における本人警告処理の詳細を示すフローチャートである。フローがスタートするとステップＳ８２で脱衣場人感からの経過時間のカウントをスタートし、ステップＳ８４に移行する。ステップＳ４８では、図２のステップＳ４８と同様にして浴槽３４が所定の水位まで満たされているか否かチェックする。浴槽水位が所定以上であればステップＳ８６に進み、図３のステップＳ５０と同様にして、浴槽３４の水温が所定以上か否かチェックする。そして水温が所定以上でなければ、ステップＳ８８に進む。一方、ステップＳ８４で水位が所定上でない場合もステップＳ８８に進む。
【００４４】
ステップＳ８８では脱衣場での人感を再度チェックし人感が継続していればステップＳ９０に進み、ステップＳ８２でスタートさせた時間カウントに基づき最初の人感開始から所定時間以上経過しているか否かチェックする。そして時間経過が確認されると、入浴可能な状況ないにも係らず誤って住人が脱衣を始めている可能性があるのでステップＳ９２に移行する。なお、ステップＳ９０で所定時間が経過していなければステップＳ８８に戻り、所定時間経過まで人感が継続するか否かチェックを続ける。一方、ステップＳ８６で水温が所定以上であることが確認されたときは住人が入浴のため脱衣場に立ち入ったと考えられるので直接ステップＳ９２に移行する。
【００４５】
ステップＳ９２では、これまでの時間カウントをリセットするとともに新たな時間カウントをスタートする。そしてステップＳ９４に進み、家族の呼掛け音声を再生する処理を行う。これは、警告に先立ち家族の呼掛けにより警告を受容する心理を醸成するためである。次いでステップＳ９６で脱衣を制止する警告音声を再生するとともに、表示部の点滅等を行う処理をする。次いでステップＳ９８に進み脱衣場での人感を再度チェックする。人感が継続していればステップＳ１００に進み、浴室での人感をチェックする。浴室人感がなければステップＳ１０２に進み、ステップＳ９２でスタートした時間カウントに基づいて所定時間が経過したか否かチェックする。そして所定時間の経過があれば警告を無視して脱衣してしまったと見做し、ステップＳ１０４に進む。一方、所定時間の経過がなければステップＳ９４に戻り、以後、脱衣場での人感が続き所定時間が経過しない限りステップＳ９４からステップＳ１０２を繰り返す。一方ステップＳ１００で浴室人感があれば住人が脱衣してしまったことを意味するので直ちにステップＳ１０４に進む。
【００４６】
ステップＳ１０４では警告を無視して脱衣した行動の履歴を記録し、ステップＳ１０６に進む。一方、ステップＳ９８で脱衣場の人感が所定時間内になくなったことが検知された場合、警告を受容して脱衣を思いとどまったと考えられるのでステップＳ１０８に進み警告受容行動記録を行ってステップＳ１０８に進む。また、ステップＳ８８で脱衣場人感が所定時間以内になくなったときは、住人が入浴可能な状況でないことを了解して脱衣場を立ち去ったことを意味するか、元々脱衣のために脱衣場に立ち入ったのではないことを意味するので、ステップＳ１０６に移行する。ステップＳ１０６では経過時間カウントを停止してフローを終了する。
【産業上の利用可能性】
【００４７】
本発明は、日常生活における警告システムに適用することができる。
【符号の説明】
【００４８】
４  居室
２８  居室室温センサ
８  脱衣場
５４  脱衣場室温センサ
５０、５８  警告部
４６  暖房部
１０  制御部
３４  浴槽
５２  人感センサ
１０  判断部
３２  記録部
２０  通信部
１０  テスト手段
【図１】
2015022661.tif 000003
【図２】
2015022661.tif 000004
【図３】
2015022661.tif 000005
【図４】
2015022661.tif 000006